(57)【特許請求の範囲】
【請求項１】
外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されることを特徴とする冷蔵庫。
【請求項２】
外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されることを特徴とする冷蔵庫。
【請求項３】
保持部材の下端部が内箱または内箱上の構造物に当接して上下方向の位置決めをすることを特徴とする請求項１または２に記載の冷蔵庫。
【請求項４】
外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つことを特徴とする冷蔵庫。
【請求項５】
外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つことを特徴とする冷蔵庫。
【請求項６】
長さ調整された吸入管は保持部材の投影面内に配置したことを特徴とする請求項５に記載の冷蔵庫。
【発明の詳細な説明】
【０００１】
【発明の属する技術分野】
本発明は冷蔵庫の冷却ユニット取付け構造に関するものである。
【０００２】
【従来の技術】
図１２は従来の冷却器を有する冷蔵庫の断面図である。図８に示すように、１は冷蔵庫本体であって内箱２と外箱３と発泡断熱材４によって断熱箱体を構成し、扉５により貯蔵室６を形成している。７は冷却器であり、冷却器７には除霜温度検知用センサーが取り付けられている。冷却器７の下方には除霜ヒーター８と除霜水排水用水受け皿９を配置し、冷却ユニットを構成している。内箱２と外箱３の間には冷却器６へ冷媒を送る吸入管と除霜センサーと除霜ヒーター８に電気を送る配線が断熱材２発泡前に取り付けられており、内箱の穴から吐出している。
【０００３】
以上のような構成において、冷却器６は断熱材４を発泡後、吸入管とロウ付けし、内箱２の凸部に配置される。除霜センサー及び除霜ヒーター８も断熱材４発泡後取り付け、配線の結束を行う。
【０００４】
【発明が解決しようとする課題】
しかしながら、特に小型冷蔵庫の場合、冷却器収納部のスペースは小さく、上記従来の構成ではロウ付け、結線作業が困難となる。
【０００５】
本発明は冷却器と吸入管のロウ付け、電気制御装置の配線結束を冷却ユニットとして行ない、発泡前に内箱の背面から取付けることにより、作業工程を簡素化し、シール作業性を容易にすることで断熱性能を確保した冷却ユニットを備えた冷蔵庫を提供することを目的とする。
【０００６】
【課題を解決するための手段】
本発明の請求項１に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されるものであり、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、部品数を低減し、組み立て工数を低減できる。また、冷却器との取り付け寸法関係が安定し除霜精度が高まる。
内箱を伝った結露水及び食品汁が断熱材側に侵入するのを防止できる。
【０００７】
請求項２に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されるものであり、冷蔵庫本体への組み込み前に別途冷却器や除霜関連部品，送風ファンの組み立てを行うことができ、冷蔵庫奥の狭い空間で冷却器や除霜関連部品，送風ファンを組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、部品数を低減し、組み立て工数を低減できる。また、冷却器との取り付け寸法関係が安定し除霜精度が高まる。
内箱を伝った結露水及び食品汁が断熱材側に侵入するのを防止できる。
【０００８】
請求項３に記載の発明は、請求項１または請求項２に記載の発明において、保持部材の下端部が内箱または内箱上の構造物に当接して上下方向の位置決めをするものであり、下方への組み立てバラツキが抑えられる。
【０００９】
請求項４に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つものであり、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、切欠き孔に吸入管が嵌められ、室内側に取り付けた冷却器から断熱材側に吸入管を取り出す際のバラツキを抑えることができる。
また、取り扱い時に吸入管が破損、変形しにくく、断熱材の発泡時に位置ずれを起こし内箱や外箱に接触して結露発生の要因となることがない。
小型冷蔵庫など断熱箱体の大きさに対して吸入管の長さが長くなり過ぎる場合にも、容易に他の構造物との接触なしに寸法調整が可能となる。
【００１０】
請求項５に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つものであり、冷蔵庫本体への組み込み前に別途冷却器や除霜関連部品，送風ファンの組み立てを行うことができ、冷蔵庫奥の狭い空間で冷却器や除霜関連部品，送風ファンを組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、切欠き孔に吸入管が嵌められ、室内側に取り付けた冷却器から断熱材側に吸入管を取り出す際のバラツキを抑えることができる。
また、取り扱い時に吸入管が破損、変形しにくく、断熱材の発泡時に位置ずれを起こし内箱や外箱に接触して結露発生の要因となることがない。
小型冷蔵庫など断熱箱体の大きさに対して吸入管の長さが長くなり過ぎる場合にも、容易に他の構造物との接触なしに寸法調整が可能となる。
【００２６】
請求項６に記載の発明は、請求項５に記載の発明において、長さ調整された吸入管は保持部材の投影面内に配置したものであり、吸入管が保持部材より突出していないので、内箱に挿入する前の吸入管の他部品との接触、曲がり、折れを防ぐことができる。
【００３５】
【発明の実施の形態】
以下、本発明による冷蔵庫の実施の形態について、図面を参照しながら説明する。
【００３６】
（実施の形態１）
図１は、本発明の実施の形態１による冷蔵庫の断面図である。図２は同実施の形態の冷蔵庫における冷却ユニットの斜視図である。図３は同実施の形態の冷却ユニットの背面からの斜視図である。図４は同実施の形態の冷却ユニットの組み立て前の斜視図である。図５は同実施の形態の冷却ユニットの組み立て後の斜視図である。図６は同実施の形態の冷蔵庫における冷却器室の正面図である。
【００３７】
図１において、３０は冷蔵庫本体であって、３１は断熱箱体を形成する外箱であり、３２は充填された発泡断熱材であり、３３は冷蔵庫本体３０の内壁を形成する内箱である。冷蔵室３４の下部には冷凍室３５があり、断熱仕切壁３６で仕切られている。
【００３８】
３７は冷蔵室３４の前面開口部を閉塞する開閉式の冷蔵室扉であり、３８は冷凍室３５の前面開口部を閉塞する引出し式の冷凍室扉である。３９は冷凍室３５の後方に配置される冷却器室であり、冷却器室３９には冷却器４０、冷却器４０の下方に除霜ヒーター４１が収納され、その下方に冷却器４０の除霜ヒーター４１による除霜水を受ける水受け皿４２が設けられている。また冷却器４０の上方で断熱仕切壁３６の後方には送風ファン４３が設けられている。なお、冷却器４０の大きさは高さを奥行きの2倍以下となるように設計している。
【００３９】
４４は冷凍室３５と冷却器室３９を仕切る仕切板である。また冷蔵庫３０の後方下部には機械室４５を有し圧縮機４６を配置し、上部には水受け皿４２の水を溜めて圧縮機４６の熱で蒸発させる蒸発皿４７が備えられている。
【００４０】
図２において、図１のように冷蔵庫３０が組み立てられる過程について説明する。
【００４１】
冷却器４０と、除霜ヒーター４１や除霜終了検知器４８（以下、除霜センサー４８という）や温度ヒューズなど温度過昇防止用の安全装置（図示せず）などの除霜関連部品４９は樹脂製の保持部材５０（例えばポリプロピレン樹脂）に係止され、冷却ユニット５１が組立てられる。
【００４２】
保持部材５０の両側部は冷却器４０が取付けられる方向に向かってフランジ部５０ａを有し断面略コ字状を形成している。５０ｂは冷却器４０を保持部材５０に引掛けて固定する固定用爪であり、５０ｃは除霜センサー４８を保持する保持部である。５０ｄは保持部材５０の下部に一体成形された挟持部材であり除霜装置４１を挟持する。これらの係合部材はすべて保持部材５０に一体成形で形成されている。
【００４３】
また保持部材５０には冷却器４０が取付けられる周囲に凹部５０ｅが備えられ除霜関連部品４９の電気配線４９ａが凹部５０ｅ内に配設される。また保持部材５０には冷却器４０の出口部にあらかじめロウ付けして接続された液溜め器５２に接続した吸入管５３と熱交換される毛細管５４が位置決めされる切欠き孔５０ｆが形成されている。
【００４４】
また液溜め器５２は冷却器４０の高さ内に収まるように上部を庫内方向に傾斜させながら溶接されている。５０ｇは凹部５０ｅに配設した電気配線４９ａを通す貫通孔である。
【００４５】
図３は冷却ユニット５１の背面図であり、５５は保持部材５０の上下左右方向に格子状に一体成形された補強部材である。５６は補強部材５５内に上下左右から外箱に向かう切欠き部５６ａを有する収納部である。
【００４６】
図４において５７は内箱３３の背面に開口された開口部であり、冷却ユニット５１は図４のように内箱３３の背面方向からすなわち、発泡断熱材３２が充填される側から取付けられる。
【００４７】
図６において、２点鎖線で表した仕切部５８によって冷却器室３９内を仕切り、仕切部５８と内箱３３の壁面によって貯蔵室を循環した冷気が冷却器４０に戻る戻り通路５９を形成する。
【００４８】
図より保持部材５０の上端、両側端部は開口部５７の上端、両側端部よりも寸法が大きいため内箱３３の断熱材３２が充填される側に密着固定される。また保持部材５０の下端部は開口部５７の下端部内に挿入され内箱３３の貯蔵室側に密着固定される。また保持部材５０のフランジ部５０ａは内箱３３の側部に回り込み図６のように組み立てられる。
【００４９】
また除霜装置４１の下部には冷却器４０の除霜水を受ける樋状の水受け皿４２が保持部材５０と一体に成形されている。または保持部材５０の下端にヒンジ機構によって水受け皿４２が取り付けられていてもよい。
【００５０】
以上のように構成された冷蔵庫について、以下その動作を説明する。
【００５１】
まず、毛細管５４と半田付けされた吸入管５３が冷却器４０に溶接される。そして、この組み立て品を保持部材５０の固定用爪５０ｂに冷却器４０を引掛けて固定する。このとき、冷却器４０の大きさは高さを奥行きの2倍以下としており、液溜め器５２は冷却器４０の高さ内に収まるように予め溶接されているので冷却器室３９の高さが低くなり、内箱の開口部５７を大きくしなくても冷却ユニット５１を収容することができる。また、開口部５７を冷凍室３５の背面領域内に設けることができ、断熱仕切壁３６に干渉して冷却ユニット５１の取り付けに支障を生じることがない。また、無効スペースを低減できるので冷凍室３５の有効内容積をアップすることができる。
【００５２】
そして除霜ヒーター４１や除霜センサー４８、温度ヒューズなどの除霜関連部品４９をそれぞれ挟持部材５０ｄや保持部５０ｃなどに係合させて固定される。そしてこれら除霜関連部品４９の電気配線４９ａは凹部５０ｅ内に配設処理することができるので電気配線４９ａのたるみや風路抵抗、冷却器４０との引っ掛かりによる断線を防ぐことができる。
【００５３】
そして、保持部材５０の背面に形成した収納部５６間の切欠き部５６ａに吸入管５３を蛇行させて保持部材５０の投影面内に這わせるので、梱包箱に詰めて次工程に運搬する時や共栄会社等で組み立てられた冷却ユニット５１を搬入するときなど梱包しやすく、物流性を高めることができる。また、取り扱い時の吸入管５３の変形，折れなどの破損を防止することができ、断熱材３２の発泡時に吸入管５３が移動して外箱３１や内箱３３に接触することによる結露などの品質問題が発生することがない。また、冷却器４０と先にロウ付けを行なっても、挿入可能な為、ロウ付けによる内箱３３の変形や他部品への延焼を防止できる。
【００５４】
さらに、吸入管５３は蛇行させて保持部材５０の投影面内に這わせることにより、少ないスペースで長さ寸法の調整が可能となり、特に小型の冷蔵庫などサイズの小さい冷蔵庫で吸入管５３の長さを持て余す場合に効率よく収容することができる。
【００５５】
また、凹部５０ｅ内に這わせた電気配線４９ａは保持部材５０の背面に回され除霜関連部品の電気配線４９ａは収納部５６内に仮収納される。このため冷却ユニット５１の取り扱い時に電気配線４９ａ同士が絡まることなく整理することができ、作業性を高めることができる。
【００５６】
そして次工程では冷却ユニット５１が開口部５７に内箱３３の背面側から挿入固定される。また開口部５７の大きさは冷却ユニット５１より小さく、冷却ユニット５１を斜めに倒しながら下端部から挿入される。そして下端部が水受け皿６０に当れば、これが位置決めとなり、保持部材５０の上端が内箱３３の断熱材側にあたるまで回転させる。
【００５７】
このように、冷却ユニット５１の冷却器４０や除霜関連部品４９は内箱３３内へ、基部となる保持部材５０の上端部と両フランジ部５０ａは開口部５７内に入り込まず、内箱３３の外側に配置され断熱材３２内に埋没させる。そして保持部材５０の下端部は開口部５７内に入り込み、水受け皿６０が除霜ヒーター４１の下部に配置されるので、冷却器室３９のスペースにかかわらずほぼ同じ姿勢で冷却ユニット５１を組み込むことができる。また、庫内への断熱材３２の洩れを防ぐことができる。また保持部材５０のガタつきを低減することができる。また、内箱３３を伝った結露水及び食品汁が断熱材３２側に侵入するのを防止できる。
【００５８】
そして、冷却ユニット５１が挿入された内箱３３は、外箱３１に組み込まれ発泡断熱材３２が充填される。そして冷却ユニット５１背面に流入する断熱材３２は、切欠き部５６ａから収納部５６内に流入されるので、断熱材３２を全体に行き渡らせることができる。このため、空洞部が生じることはなく、断熱性が低下して結露や冷却性能の低下が発生することを防止できる。また切欠き部５６ａに載置された吸入管５３はそのまま充填された断熱材３２で固定される。
【００５９】
この時、断熱材３２の発泡前に内箱３３にあらかじめ断熱仕切壁３６が取り付けられ、冷却ユニット５１と一緒に断熱材３２が充填されれば断熱仕切壁３６を断熱材３２で固定でき、意匠的にも優れている。
【００６０】
そして、断熱材３２の発泡による保持部材５０の変形を格子形状の補強部材５５によって防止することができ、取り付けられた冷却器４０や除霜関連部品４９が変形，破損したり位置ずれを起こして品質問題が発生することを避けられる。
【００６１】
そして、内箱３３に組込まれた冷却ユニット５１において、冷却器４０と内箱３３間の両側部の一方に液溜め器５２を配置し、他方には戻り通路５９が配されるので、冷却器室３９内の無効スペースを低減することができ、前方に配置される冷凍室３５やその上部の冷蔵室３４の有効内容積を増加することができる。
【００６２】
（実施の形態２）
図７は、本発明の実施の形態２による冷蔵庫の要部断面図である。
【００６３】
図７において、保持部材６１は挟持手段６１ａを端部に形成し、内箱６２の端部を挟み込んで支持される。そして断熱材３２が充填されても、挟持手段６１ａと内箱６２の間は略Ｕ字状に形成されているので断熱材が入り込んでも冷却器室３９内に断熱材が洩れることはない。また、内箱を伝った結露水及び食品汁が断熱材３２側に侵入するのを防止することができる。
【００６４】
（実施の形態３）
図８は、本発明の実施の形態３による冷蔵庫の断面図である。図９は同実施の形態の冷蔵庫の組み立て前の斜視図である。
【００６５】
図８，図９において６３は冷却ユニットであり、冷却器４０と除霜関連部品４９を保持部材６４に係止固定することによって構成され、その下端部には冷却器４１の除霜水を受ける水受け皿６５が一体に樹脂成形されている。
【００６６】
以上のような構成により、除霜ヒーター４１と水受け皿６５の寸法関係がばらつかず安定し、除霜時の信頼性を高めることができる。また、保持部材６４の背面部と水受け皿６５の隙間がなく冷却器４０からの除霜水を確実に受けることができる。さらには、水受け皿６５が一体化され部品点数が減少してコストダウンを図ることができる。
【００６７】
その際、成形形状を簡単にするため、水受け皿６５の上部にヒンジ機構を設けて、成形時に排水穴の向きを型の抜き方向に揃えた方が合理的な成形が行える。
【００６８】
（実施の形態４）
図１０は、本発明の実施の形態４による冷蔵庫の断面図である。図１１は同実施の冷蔵庫の組み立て前の斜視図である。
【００６９】
図１０，図１１において、６６は、冷却ユニットであり、冷却器４０と除霜関連部品４９と送風ファン６７を保持部材６８に係止固定することによって構成されている。送風ファン６７は保持部材６８の上部にスペースをとって固定されている。
【００７０】
以上のような構成により、送風ファン６７まで含めた強制通風方式の冷蔵庫における冷却部品の集合体を一体化して組み込むことができ、組み立て品質の向上と組み立て工数の大幅な低減を図ることができる。また冷却器４０と送風ファン６７の配置関係がばらつかず冷却品質が安定し、ファン騒音などのばらつき因子も抑えることができる。
【００７１】
【発明の効果】
以上説明したように本発明の請求項１に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されるので、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、部品数を低減し、組み立て工数を低減できる。また、冷却器との取り付け寸法関係が安定し除霜精度が高まる。
内箱を伝った結露水及び食品汁が断熱材側に侵入するのを防止できる。
【００７２】
また、請求項２に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定され、前記除霜関連部品のうち除霜ヒーターが前記冷却器の下部に備えられ、前記保持部材の下部両端に前記除霜ヒーターを挟持する挟持部材が一体成形され、かつ前記保持部材の上端部と両側のフランジ部は内箱の断熱材側に配し、前記保持部材の下端部は内箱の庫内側に配されるものであり、冷蔵庫本体への組み込み前に別途冷却器や除霜関連部品，送風ファンの組み立てを行うことができ、冷蔵庫奥の狭い空間で冷却器や除霜関連部品，送風ファンを組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、部品数を低減し、組み立て工数を低減できる。また、冷却器との取り付け寸法関係が安定し除霜精度が高まる。
内箱を伝った結露水及び食品汁が断熱材側に侵入するのを防止できる。
【００７３】
また、請求項３に記載の発明は、請求項１または請求項２に記載の発明において、保持部材の下端部が内箱または内箱上の構造物に当接して上下方向の位置決めをするものであり、下方への組み立てバラツキが抑えられる。
【００７４】
また、請求項４に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器の除霜関連部品とを備えた冷蔵庫において、前記冷却器と前記除霜関連部品を一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品が係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つものであり、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、切欠き孔に吸入管が嵌められ、室内側に取り付けた冷却器から断熱材側に吸入管を取り出す際のバラツキを抑えることができる。
また、取り扱い時に吸入管が破損、変形しにくく、断熱材の発泡時に位置ずれを起こし内箱や外箱に接触して結露発生の要因となることがない。
小型冷蔵庫など断熱箱体の大きさに対して吸入管の長さが長くなり過ぎる場合にも、容易に他の構造物との接触なしに寸法調整が可能となる。
【００７５】
また、請求項５に記載の発明は、外箱と、内箱と、前記外箱と内箱の空間に発泡断熱材を充填して形成される断熱箱体と、前記断熱箱体内に形成した貯蔵室と、冷凍サイクルの冷却器と、前記冷却器で冷却した冷気を前記貯蔵室内に循環させる送風ファンと、前記冷却器の除霜関連部品とを備えた冷蔵庫において、前記冷却器と前記除霜関連部品と前記送風ファンを一体に組み込んで冷却ユニットを構成し、前記冷却ユニットを前記内箱の前記貯蔵室背面に開口された開口部に前記発泡断熱材が充填される側から取り付けるものであって、前記冷却ユニットは樹脂製の保持部材を有して、前記保持部材に冷却器と除霜関連部品と送風ファンが係合固定されるとともに前記冷却器から圧縮機に接続される吸入管を挿通するための切欠き孔が形成され、かつ前記保持部材の断熱材が充填される側に前記吸入管の位置決めのための係止部が形成され、前記係止部は前記吸入管の長さ調整機能を併せ持つものであり、冷蔵庫本体への組み込み前に別途冷却器や除霜関連部品，送風ファンの組み立てを行うことができ、冷蔵庫奥の狭い空間で冷却器や除霜関連部品，送風ファンを組み込んでいく作業から解放され、かつ組み立て精度が向上する。
また、冷却ユニットのそれぞれの形状に合わせ保持構造を一体に成形することができ、保持部材への組み付けが精度よく、また容易になる。
また、切欠き孔に吸入管が嵌められ、室内側に取り付けた冷却器から断熱材側に吸入管を取り出す際のバラツキを抑えることができる。
また、取り扱い時に吸入管が破損、変形しにくく、断熱材の発泡時に位置ずれを起こし内箱や外箱に接触して結露発生の要因となることがない。
小型冷蔵庫など断熱箱体の大きさに対して吸入管の長さが長くなり過ぎる場合にも、容易に他の構造物との接触なしに寸法調整が可能となる。
【００９１】
請求項６に記載の発明は、請求項５に記載の発明において、長さ調整された吸入管は保持部材の投影面内に配置したので、内箱に挿入する前の吸入管の他部品との接触、曲がり、折れを防ぐことができる。
【図面の簡単な説明】
【図１】本発明による冷蔵庫の実施の形態１の断面図
【図２】同実施の形態の冷蔵庫の要部斜視図
【図３】同実施の形態の冷蔵庫の要部の背面斜視図
【図４】同実施の形態の冷蔵庫の組立て前の斜視図
【図５】同実施の形態の冷蔵庫の組立て後の斜視図
【図６】同実施の形態の冷蔵庫の要部正面図
【図７】本発明による冷蔵庫の実施の形態２の要部断面図
【図８】本発明による冷蔵庫の実施の形態３の断面図
【図９】同実施の形態の冷蔵庫の組立て前の斜視図
【図１０】本発明による冷蔵庫の実施の形態４の断面図
【図１１】同実施の形態の冷蔵庫の組立て前の斜視図
【図１２】従来の冷蔵庫の断面図
【符号の説明】
３０  冷蔵庫本体
３１  外箱
３２  断熱材
３３  内箱
３５  冷凍室（貯蔵室）
４０  冷却器
４１  除霜ヒーター
４２，６５  水受け皿
４９  除霜関連部材
４９ａ  電気配線
５０，６１，６４，６８  保持部材
５０ａ  フランジ部
５０ｄ  挟持部材
５０ｅ  凹部
５０ｆ  切欠き孔
５１，６３，６６  冷却ユニット
５２  液溜め器
５３  吸入管
５５  補強部材
５６  収納部
５７  開口部
５９  戻り通路
６１ａ  挟持部材
６７  送風ファン
【図１】
0003833920.tif 000002
【図２】
0003833920.tif 000003
【図３】
0003833920.tif 000004
【図４】
0003833920.tif 000005
【図５】
0003833920.tif 000006
【図６】
0003833920.tif 000007
【図７】
0003833920.tif 000008
【図８】
0003833920.tif 000009
【図９】
0003833920.tif 000010
【図１０】
0003833920.tif 000011
【図１１】
0003833920.tif 000012
【図１２】
0003833920.tif 000013